(57)【要約】      （修正有）【課題】プロジェクタースクリーンが大型の表示装置の表示を隠す位置に設けられた場合に、大型の表示装置の表示を見せることができる操作監視装置を実現する。【解決手段】表示装置１と比較して小型なプロジェクタスクリーン３４と、このプロジェクタスクリーン３４に画像を投射するプロジェクタ３５と、このプロジェクタの投射制御を行う制御部３７とを備えた。制御部３７がプロジェクタスクリーン３４を透明にさせるので、表示装置１の表示を見せることができる。【選択図】図１
2011059764.tif 000002
【特許請求の範囲】
【請求項１】
表示装置が後方に設けられる操作監視装置において、
前記表示装置と比較して小型で透明なプロジェクタスクリーンと、
このプロジェクタスクリーンに画像を投射するプロジェクタと、
このプロジェクタの投射制御を行う制御部と
を備えたことを特徴とする操作監視装置。
【請求項２】
表示装置が後方に設けられる操作監視装置において、
前記表示装置と比較して小型で、非発光時に透明な有機ＥＬディスプレイと、
この有機ＥＬディスプレイの表示制御を行う制御部と
を備えたことを特徴とする操作監視装置。
【請求項３】
プラント監視システムに用いられることを特徴とする請求項１または２記載の操作監視装置。
【発明の詳細な説明】
【技術分野】
【０００１】
本発明は、例えば、プラント監視システムに用いられ、表示装置が後方に設けられる操作監視装置に関し、表示装置の表示を見せることができる操作監視装置に関するものである。
【背景技術】
【０００２】
プラント監視システムは、オペレータルームに操作監視装置が設置され、操作監視装置の後方の壁面に大型な表示装置が設置され、プラントの操作や監視を行っている。このような操作監視装置は、例えば、下記特許文献１に示されている。以下図３を用いて説明する。ここで、（ａ）は正面図、（ｂ）は側面図である。
【０００３】
図３において、表示装置１は、図示しない制御装置に接続され、壁面に設置される。２つの操作監視装置２は、表示装置１の前方に間隔が空けられ設置され、図示しないフィールドコントロールステーション（以下ＦＣＳ）に接続され、プラントの操作、監視を行う。そして、操作監視装置２は、デスク２１、固定部材２２、それぞれ２つの液晶ディスプレイ（以下ＬＣＤ）２３，２４、入力部２５、制御部２６を有する。２つの固定部材２２は、デスク２１に垂直に取り付けられる。ＬＣＤ２３，２４は、固定部材２２に縦に並べて取り付けられる。入力部２５は、例えば、キーボード等で、デスク２１上に設けられる。制御部２６は、デスク２１の内部に設けられ、それぞれ２つのＬＣＤ２３，２４、入力部２５に接続する。
【０００４】
このような装置の動作を説明する。図示しないＦＣＳから、図示しない制御装置に監視データが送られ、この監視データに基づいて、制御装置が、表示装置１の画面を表示する。また、ＦＣＳは、操作監視装置２に監視データを送り、この監視データに基づいて、操作監視装置２の制御部２６がＬＣＤ２３，２４に画面を表示する。そして、操作監視装置２の入力部２５から入力が行われ、制御部２６はＬＣＤ２３，２４の画面表示を行うと共に、ＦＣＳに操作データを送り、ＦＣＳがプラントの制御を行う。
【先行技術文献】
【特許文献】
【０００５】
【特許文献１】特開２００２−２１５０５４号公報
【発明の概要】
【発明が解決しようとする課題】
【０００６】
昨今、オペレータ一人当たりに与えられる情報量は多くなり、操作監視装置２に合計４台のＬＣＤ２３，２４が設けられるようになった。この多量の情報は、一般的に、常に注意を払う重要な情報が下側に配置されるＬＣＤ２３に表示され、重要度の低い情報は上側に配置されるＬＣＤ２４に表示されている。これは、人間工学的観点からいうと、適切な情報表示方法である。
【０００７】
一方、大型の表示装置１は、常時、注意を払うものではないが、重大なアラームなどを必要なときに即座に複数のオペレータが共有すべきものである。
【０００８】
しかし、オペレータが通常座って操作監視作業を行っているので、目の位置が図３の★印で示される位置になり、ＬＣＤ２４が表示装置１の表示を隠し、表示装置１の表示の全てを見ることができない。また、表示装置１を上方に位置させることが考えられるが、すでに上方に取り付けられており、上方にずらすことができない。
【０００９】
そこで、本発明の目的は、表示装置の表示を見せることができる操作監視装置を実現することにある。
【課題を解決するための手段】
【００１０】
このような課題を達成するために、本発明のうち請求項１記載の発明は、
表示装置が後方に設けられる操作監視装置において、
前記表示装置と比較して小型で透明なプロジェクタスクリーンと、
このプロジェクタスクリーンに画像を投射するプロジェクタと、
このプロジェクタの投射制御を行う制御部と
を備えたことを特徴とするものである。
請求項２記載の発明は、
表示装置が後方に設けられる操作監視装置において、
前記表示装置と比較して小型で、非発光時に透明な有機ＥＬディスプレイと、
この有機ＥＬディスプレイの表示制御を行う制御部と
を備えたことを特徴とするものである。
請求項３記載の発明は、請求項１または２記載の発明であって、
プラント監視システムに用いられることを特徴とするものである。
【発明の効果】
【００１１】
本発明によれば以下のような効果がある。
請求項１，３によれば、制御部がプロジェクタの投影制御を行い、プロジェクタスクリーンを透明にさせるので、表示装置の表示を見せることができる。これにより、オペレータは座ったままで、姿勢を変えることなく、表示装置とプロジェクタスクリーンの表示選択を行うことができる。
【００１２】
請求項２，３によれば、制御部が有機ＥＬディスプレイの表示制御を行い、有機ＥＬディスプレイを非発光時に透明にさせるので、表示装置の表示を見せることができる。これにより、オペレータは座ったままで、姿勢を変えることなく、表示装置と有機ＥＬディスプレイの表示選択を行うことができる。
【図面の簡単な説明】
【００１３】
【図１】本発明の一実施例を示した構成図である。
【図２】本発明の他の実施例を示した構成図である。
【図３】従来の操作監視装置の構成を示した図である。
【発明を実施するための形態】
【００１４】
以下本発明を、図面を用いて詳細に説明する。図１は本発明の一実施例を示した構成図で、（ａ）は正面図、（ｂ）は側面図である。
【００１５】
図１において、表示装置１は、図示しない制御装置に接続され、壁面に設置される。２つの操作監視装置３は、表示装置１の前方に間隔が空けられ設置され、図示しないＦＣＳに接続され、プラントの操作、監視を行う。そして、操作監視装置３は、デスク３１、２つの固定部材３２、２つのＬＣＤ３３、２つのプロジェクタスクリーン３４、２つのプロジェクタ３５、入力部３６、制御部３７を有する。２つの固定部材３２は、デスク２１に垂直に取り付けられる。ＬＣＤ３３は、表示装置１と比較して小型で、固定部材３２に取り付けられる。透明なプロジェクタスクリーン３４は、表示装置１と比較して小型で、ＬＣＤ３３の上側で、固定部材３２に取り付けられる。プロジェクタ３５は、プロジェクタスクリーン３４に画像を投射する。入力部３６は、例えば、キーボード等で、デスク３１上に設けられる。制御部３７は、デスク３１の内部に設けられ、２つのＬＣＤ３３、２つのプロジェクタ３５、入力部３６に接続する。
【００１６】
このような装置の動作を以下に説明する。図示しないＦＣＳから、図示しない制御装置に監視データが送られ、この監視データに基づいて、制御装置が、表示装置１の画面を表示する。また、ＦＣＳは、操作監視装置３に監視データを送り、この監視データに基づいて、操作監視装置３の制御部３７が、ＬＣＤ３３に画面を表示すると共に、プロジェクタ３５によりプロジェクタスクリーン３４に画面を投影させる。そして、表示装置１の表示を見る場合は、操作監視装置３の入力部３６を操作して、制御部３７にプロジェクタ３５の投影を止めて、プロジェクタスクリーン３４を透明な状態にして、プロジェクタスクリーン３４を介して、表示装置１の表示を見る。再び、プロジェクタスクリーン３４の表示を見る場合は、操作監視装置３の入力部３６を操作して、制御部３７にプロジェクタ３５の投影を再開させ、プロジェクタ３５は、プロジェクタスクリーン３４に画面を投影する。
【００１７】
そして、操作監視装置３の入力部３６から入力が行われ、制御部３７はＬＣＤ３３の画面表示を行うと共に、プロジェクタ３５によりプロジェクタスクリーン３４に画面を投影させる。入力部３６の入力により、操作監視装置３は、ＦＣＳに操作データを送り、ＦＣＳがプラントの制御を行う。
【００１８】
このように、制御部３７がプロジェクタ３５の投影制御、つまり、オン、オフ制御を行い、プロジェクタスクリーン３４を透明にさせるので、★印の目の位置から、破線で示されるように、表示装置１の表示を見ることができる。これにより、オペレータは座ったままで、姿勢を変えることなく、表示装置１とプロジェクタスクリーン３４の表示選択を行うことができる。
【００１９】
次に、他の実施例を図２に示し説明する。図２（ａ）は正面図、（ｂ）は側面図である。ここで、図１と同一のものは同一符号を付し説明を省略する。
【００２０】
図２において、表示装置４は、表示装置１の代わりに設けられ、表示装置１より下部に壁面に設置される。固定部材３８は、２つの固定部材３２の代わりに設けられ、デスク３１に取り付けられる。非発光時に透明な２つの有機ＥＬ（エレクトロルミネッセンス）ディスプレイ３９は、ＬＣＤ３３、プロジェクタスクリーン３４、プロジェクタ３５の代わりに設けられ、表示装置４に比較して小型で、並列に固定部材３８に取り付けられ、制御部３７に接続する。
【００２１】
このような装置の動作は、表示装置４の表示を見る場合は、操作監視装置３の入力部３６を操作して、制御部３７に有機ＥＬディスプレイ３９を非発光にして、有機ＥＬディスプレイ３９を透明にさせる。これにより、★印の目の位置から、破線で示されるように、有機ＥＬディスプレイ３９を通して、表示装置４の画面を見ることができる。再び、有機ＥＬディスプレイ３９の表示を見る場合は、操作監視装置３の入力部３６を操作して、制御部３７に有機ＥＬディスプレイ３９を発光させ、画面を表示させる。その他の動作を図１に示す装置とほぼ同様なので、説明を省略する。
【００２２】
なお、本発明はこれに限定されるものではなく、図１で２段の例を示したが、３段にしてもよい。要するに、透明なプロジェクタスクリーン３４、非発光時に透明な有機ＥＬディスプレイ３８を用いたものは本発明に含まれる。
【００２３】
また、表示装置１，４は、一体型の表示装置である必要はなく、分割された複数の表示部（ＬＣＤ等）からなるものも含まれる。つまり、壁面の上部大部分を表示に使用されるものであればよい。
【００２４】
そして、図１でＬＣＤ３３を示したが、ＣＲＴ等でもよく、表示部であればよい。
【符号の説明】
【００２５】
１，４  表示装置
３  操作監視装置
３４  プロジェクタスクリーン
３５  プロジェクタ
３７  制御部
３９  有機ＥＬディスプレイ
【図１】
2011059764.tif 000003
【図２】
2011059764.tif 000004
【図３】
2011059764.tif 000005